(57)【特許請求の範囲】
【請求項１】
前面板の背面に、上下面を平行にすると共に、前面板の高さ方向の一方へ前面板の背面部から直接傾斜する控えを設け、この控えの上下の両面に、横方向へ向けた凹溝を、前面板と平行の位置で上下の凹溝が対向するようにして長手方向に複数設けた構築用ブロックと、
控えの凹溝が上下で互いに対向するようにして積み重ねられる構築用ブロックのそれぞれの横方向に隣接する控えの間に位置された状態で、積み重ねられる上下の控えの間で対向する凹溝による空間に係合する耳部を、横方向両端部で、かつ縦方向の中間部に設けた隔壁板とからなることを特徴とする擁壁用ブロック。
【請求項２】
請求項１記載の擁壁用ブロックの構築用ブロックを、それぞれの控えが前面板に対して下方へ傾斜する状態で、かつ、各前面板が垂直面状になるように積み重ねることにより直積みし、各構築用ブロックの横方向に隣接する控えの間に、隔壁板を、これの両耳部を積み重ねられる控え間で対向する凹溝による空間に係合して介装したことを特徴とする擁壁。
【請求項３】
請求項１記載の擁壁用ブロックの構築用ブロックを、それぞれの控えが前面板に対して上方へ傾斜する状態で、かつ、各前面板が後方へ傾斜するように積み重ねることにより斜積みし、各構築用ブロックの横方向に隣接する控えの間に、隔壁板を、これの両耳部を積み重ねられる控え間で対向する凹溝による空間に係合して介装したことを特徴とする擁壁。
【請求項４】
請求項１記載の擁壁用ブロックの構築用ブロックを、それぞれの控えが前面板に対して下方へ傾斜する状態で、かつ、各前面板が上下方向に凹状に湾曲するように前後方向にずらせて積み重ねることにより寺勾配積みし、各構築用ブロックの横方向に隣接する控えの間に、隔壁板を、これの両耳部を積み重ねられる控え間で対向する凹溝による空間に係合して介装したことを特徴とする擁壁。
【請求項５】
請求項１記載の擁壁用ブロックの構築用ブロックを、それぞれの控えが前面板に対して下方へ傾斜する状態で、かつ、各前面板が階段状に後退するように前後方向にずらせて積み重ねることにより植生積みし、各構築用ブロックの横方向に隣接する控えの間に、隔壁板を、これの両耳部を積み重ねられる控え間で対向する凹溝による空間に係合して介装したことを特徴とする擁壁。
【発明の詳細な説明】
【０００１】
【発明の属する技術分野】
本発明は、構築用ブロックと隔壁板とからなる擁壁用ブロック及びこの擁壁用ブロックを用いて構築する擁壁に関するものである。
【０００２】
【従来の技術】
従来の擁壁を構築するための構築用ブロックは、擁壁の法面を形成する前面板と、この前面板の背面に突出した控えとからなる形状になっており、このような構築用ブロックを用いて構築される擁壁は、多数の構築用ブロックをそれぞれの前面板を隣接して積み上げ、各控えの間に中込め材を、あるいはコンクリートを充填して構築するようにしている。
【０００３】
【発明が解決しようとする課題】
ところで、従来の構築用ブロックの控えは前面板に対して直角方向に突出する構成のものがほとんどであった。
【０００４】
このため、擁壁面を垂直にして積む直積みの、及び前面板を垂直状にして積む寺勾配積みの擁壁を構築した場合、各構築用ブロックの控えは水平になる。このため、前方へ対する保持力が弱く、背後からの土圧等による押圧力により孕み出して崩落しやすいという問題があった。
【０００５】
また、控えが前面板に対して直角方向に突出しているため、この従来の構築用ブロックにて壁面が後方へ傾斜した斜積みの場合に、基礎の傾斜角が、斜積み角度となり、この角度に応じて角度が大きくなり、その分基礎の前面部の高さが高くなってしまうという問題があった。
【０００６】
本発明は上記のことに鑑みなされたもので、前方へ崩落しにくい直積みを行うことができると共に、１種類のブロックで、上記直積みのほかに斜積みを、前面側の高さが低い基礎上に積み重ねることができ、さらに、寺勾配積み、植生積みによるそれぞれの擁壁を堅固に構築することができるようにした構築用ブロックと隔壁板とからなる擁壁用ブロック及びこの擁壁用ブロックを用いた擁壁を提供することを目的とするものである。
【０００７】
【課題を解決するための手段】
上記目的を達成するために、本発明に係る擁壁用ブロックは、前面板の背面に、上下面を平行にすると共に、前面板の高さ方向の一方へ前面板の背面部から直接傾斜する控えを設け、この控えの上下の両面に、横方向へ向けた凹溝を、前面板と平行の位置で上下の凹溝が対向するようにして長手方向に複数設けた構築用ブロックと、
控えの凹溝が上下で互いに対向するようにして積み重ねられる構築用ブロックのそれぞれの横方向に隣接する控えの間に位置された状態で、積み重ねられる上下の控えの間で対向する凹溝による空間に係合する耳部を、横方向両端部で、かつ縦方向の中間部に設けた隔壁板とからなる構成になっている。
【０００８】
そして上記構成の擁壁用ブロックを用いた擁壁は、この擁壁用ブロックの構築用ブロックを、それぞれの控えが前面板に対して下方へ傾斜する状態で、かつ、各前面板が垂直面状になるように積み重ねることにより直積みし、各構築用ブロックの横方向に隣接する控えの間に、隔壁板を、これの両耳部を積み重ねられる控え間で対向する凹溝による空間に係合して介装した構成になっている。
【０００９】
また、この擁壁は、上記擁壁用ブロックを、この擁壁用ブロックの構築用ブロックを、それぞれの控えが前面板に対して上方へ傾斜する状態で、かつ、各前面板が後方へ傾斜するように積み重ねることにより斜積みし、各構築用ブロックの横方向に隣接する控えの間に、隔壁板を、これの両耳部を積み重ねられる控え間で対向する凹溝による空間に係合して介装して構成し、また上記請求項１記載の擁壁用ブロックの構築用ブロックを、それぞれの控えが前面板に対して下方へ傾斜する状態で、かつ、各前面板が上下方向に凹状に湾曲するように前後方向にずらせて積み重ねることにより寺勾配積みし、各構築用ブロックの横方向に隣接する控えの間に、隔壁板を、これの両耳部を積み重ねられる控え間で対向する凹溝による空間に係合して介装して構成し、さらに擁壁用ブロックの構築用ブロックを、それぞれの控えが前面板に対して下方へ傾斜する状態で、かつ、各前面板が階段状に後退するように前後方向にずらせて積み重ねることにより植生積みし、各構築用ブロックの横方向に隣接する控えの間に、隔壁板を、これの両耳部を積み重ねられる控え間で対向する凹溝による空間に係合して介装して構成した。
【００１０】
【作  用】
構築用ブロックを上下反転させることにより前面板に対する控えの傾斜は上下方向反転される。そして控えが下方へ傾斜する姿勢で前面板が垂直になるように積み重ねることにより各構築用ブロックの控えは後側が低くなる方向に傾斜された状態で擁壁が構築される。また、控えが水平になるように積みことにより、前面板が前傾、あるいは後傾する姿勢になる。
【００１１】
そしてこの擁壁を構成する構築用ブロックの控えは、上下に積み重ねられるもの相互で隔壁板の耳部にて前後方向に係止され、また横方向に隣接する控えの間の空間は隔壁板にて前後に仕切られる。
【００１２】
【発明の実施の形態】
本発明の実施の形態を図面に基づいて説明する。
図１〜図３に示した１は基本型の構築用ブロックで、この構築用ブロック（以下この実施の形態の説明では単にブロックという）１は前面板２と、この前面板２の背面の横方向中央に後方へ向けて突設された縦板状の控え３とからなっている。
【００１３】
前面板２の前面には適当な凹凸模様、例えば十字状の模様溝４が設けてある。この凹凸模様は自由な形状に成形できる。またこの前面板２の適宜の位置にノックアウト式の水抜き穴用の凹部５が設けてある。そしてこの基本型のブロック１の前面板２の横方向の幅をＷ、上下方向の高さをＨとする。
【００１４】
控え３は前面板２に対して下方へずれた位置に、前面板２の後面部から直接下方へ向けて傾斜して突設されている。この傾斜角度は、所定の角度α、例えば約１２度である。なおこの角度は特に限定されるものではない。この控え３の上下面は平行になっており、前面板２と平行方向の幅Ｄは前面板２の高さＨと同一になっている。
【００１５】
控え３の上面と下面には控え３の長さ方向へ等間隔に複数のコ字状にした凹溝６ａ，６ｂが横方向に設けてある。控え３の上面に設けた各溝６ａと下面に設けた凹溝６ｂは前面板２と平行位置で上下で対応するようになっている。各凹溝６ａ，６ｂはこれの底面が控え３の上下面と平行になっている。
【００１６】
図４、図５で示した１ａは、基本型の１／２高さ型のブロックであり、このブロック１ａは上記した基本型のブロック１に対して前面板２ａの高さＨａと、控え３ａの前面板２ａと平行方向の幅Ｄａがそれぞれ１／２となっており、その他の構成は同一になっている。またこのブロック１ａにおいてもＨａ＝Ｄａである。
【００１７】
図６、図７の１ｂ、１ｃは左右用の１／２幅型のブロックで、これらの前面板２ｂ，２ｃの幅Ｗｂ、Ｗｃは基本型のブロック２の前面板２の幅Ｗの１／２になっている。そして左用ブロック１ｂは前面板２ｂの左側端部に、また右用のブロック１ｃは前面板２ｃの右側端部にそれぞれ基本的のものと同じ控え３ｂ，３ｃが突設されている。
【００１８】
図８、図９の１ｄ，１ｅは左右用の１／２高さ・幅型のブロックであり、これらの前面板２ｄ，２ｅの高さＨｄ，Ｈｅ及び幅Ｗｄ、Ｗｅ、それに控え３ｄ，３ｅの幅Ｄｄ，Ｄｅは基本型のブロック１の前面板２の高さＨ、幅Ｗ及び控え３の幅Ｄのそれぞれの１／２になっている。そして左用のブロック１ｄは前面板２ｄの左側端部に、また右用のブロック１ｅは前面板２ｅの右側端部にそれぞれ控え３ｄ，３ｅが突設されている。
【００１９】
図１０、図１１、図１２の７は第１の隔壁板であり、この隔壁板７は上記ブロック１，１ａ〜１ｅを積み重ねた状態での横方向に隣接するブロック相互の控え３，３ａ〜３ｅに係合してこの各控え間の空間を各前面板２，２ａ〜２ｅと平行の姿勢で仕切るようになっている。
【００２０】
この第１の隔壁板７は、上記板状の本体部８とこの本体部８の横方向の両端部でかつ上下方向の中間部に突設した耳部９ａ，９ｂとからなっている。この本体部８の高さｈが基本型のブロック１の前面板２の高さＨよりわずかに低く、また幅Ｗ′はこの前面板２の幅Ｗから控え３の厚みを減じた寸法よりわずかに狭い寸法になっている。そして耳部９ａ，９ｂの突出長さｔは控え３の厚さの１／２よりわずかに短い寸法になっている。
【００２１】
この第１の隔壁板７の耳部９ａ，９ｂの断面形状は、上記ブロック１を重ねたときの上下の控え３，３ａ〜３ｅの間にできるそれぞれの凹部６ａ，６ｂによる空間に隙間なく嵌合する形状になっている。そしてこの耳部９ａ，９ｂに対する本体部８は、耳部９ａ，９ｂの凹部６ａ，６ｂの底面に当接する基準面に対してα＋９０度、すなわち１０２（９０゜＋１２゜）度にわたって傾斜されている。
【００２２】
図１３、図１４の７ａは第２の隔壁板であり、この隔壁板７ａは、上記した第１の隔壁板７がこれの耳部９ａ，９ｂに対する本体部８の傾斜がα＋９０゜（＝１０２度）であるのに対して耳部９ａ，９ｂに対してβ、例えば約６２度にした点が相違するだけで他の部分及び大きさは第１の隔壁板７と同一である。なお上記各角度α及びβは、１２度、６２度に限るものではなく必要に応じて任意にとられる。
【００２３】
図１５は基本型のブロック１を直積みした擁壁において、各ブロック１の控え３に上記第１の隔壁材７を係合した状態を示す。各隔壁板７は、横方向に隣接するブロック１，１のそれぞれの控え３，３の前面板２から同一の位置にある上面側の凹溝６ａ，６ａに隔壁板７の左右両側の耳部９ａ，９ｂを係合する。ついで、この状態のブロック１の上に他のブロック１を積み重ね、この上側のブロック１の下面側の凹溝６ｂ，６ｂを上記隔壁板７の左右の耳部９ａ，９ｂに係合する。これにより、各隔壁板７は上下に積み重ねる上下のブロック１の控え３，３の間に前面板２と平行の姿勢で係合保持される。このときの隔壁板７の係合位置は、各個において控え３の長手方向に設けた多数の凹溝６ａ，６ｂのいずれに係合してもよい。
【００２４】
なお、係合姿勢は図１４に示すように後傾する姿勢となる。
【００２５】
上記のように構成されたブロック１，１ａ〜１ｅ及び第１・第２の隔壁板７，７ａを用いての擁壁の構築工法を以下に説明する。
【００２６】
［直積み］
図１６〜図１８に各ブロックの前面板を垂直面状に積み重ねる直積み工法を示す。この場合、基礎１０を各ブロックの控え３の傾斜角α度にだけ奥側が低くなるように傾斜させると共に、ブロックの下面形状に合わせた形状に成形して設け、この基礎１０の上にブロックを前面板に対して控えが下方へ傾斜する基本姿勢で順次積み重ねる。これにより各ブロックは、これの前面板２が垂直状になるように積み重ねられる。
【００２７】
このときに必要に応じて最下層部と最上層部に１／２高さ型のブロック１ａを配置し、中間部に基本型のブロック１を配置した。また、擁壁の延長方向の端部では必要に応じて図１７に示すように、左右用の１／２幅型のブロック１ｂ（１ｃ）及び１／２高さ・幅型のブロック１ｄ（１ｅ）を用いる。
【００２８】
上記各ブロック１，１ａ〜１ｅの積み重ねに応じて、各ブロックの控えの間に第１の隔壁板７を係合していく。このとき、この第１の隔壁板７は前面板２と平行になる。そしてこのとき、各隔壁板７を控えの最後端側の凹溝６ａ，６ｂに係合することにより、この各隔壁板７が擁壁の後壁となり、前面板２とこの後壁の間に中込め材１１を詰める。なお１２は天板、１３は裏込め材である。
【００２９】
上記した各ブロックは控えの長さを変えたものを用意しておけば図１８に示すように、下層部から上層部にわたって順次控えが短くなるブロックを用い、地山からの背圧の大きさに合わせた擁壁が構築される。そしてこの直積みの擁壁では、垂直状になっている擁壁面に対してこれを構成する各ブロックの控えは上記したように傾斜角αだけ後傾していることにより、擁壁の後側の地山側から土圧が作用しても上記傾斜にて支持され、擁壁の前側への崩壊を防止することができる。
【００３０】
また上記隔壁板７は上記した控えの後端部以外にも、図１６に鎖線で示すように、控え３の長さ方向のいずれへの凹部６ａ，６ｂに係合して各控えの積み重なり部に複数配置してもよい。この場合、各隔壁板７は控えと控えの間に係合保持されることにより、各隔壁板７はそれぞれ１個ずつ単独で配置できる。
【００３１】
［斜積み］
図１９に各ブロックの前面板が斜めになるように積み重ねる斜積み工法を示す。この場合も奥側が低くなるように傾斜させて設けた基礎１０上に、前面板が後傾する方向に傾斜するようにして上記直積みの場合と同様にして各ブロック１，１ａ〜１ｅを積み重ねる。
このときの各ブロック１，１ａ〜１ｅは、上記直積みの場合に対してブロック１を上下方向に反転した反転姿勢で積み重ねる。これにより、この斜積みされる擁壁を構成する各ブロック１，１ａ〜１ｅ控え３，３ａ〜３ｅの実質的な傾斜は、控えが前面板に対して直角方向に突設された従来のこの種のブロックに対して、前面板に対する控えの傾斜角α分だけ小さくなる。
【００３２】
すなわち、擁壁の傾斜角がθ１であるのに対して控えの傾斜角θ２は（θ１−α）となって擁壁の傾斜角θ１より小さくなり、従来のブロックがθ１＝θ２であるのに対して控えの傾斜が小さくなる。これにより、θ１＝θ２の従来のブロックに比較して控えの傾斜角θ２をあまり大きくすることなく擁壁の傾斜角θ１を大きくすることができ、大きな傾斜角の擁壁を容易に構築することができる。このときも前面板と平行になる第１の隔壁板７を用いる。そしてこのときの基礎１０の傾斜もα゜だけ小さくなり、その分、基礎１０の前側の高さが低くなる。
【００３３】
［寺勾配積み］
図２０に前面が上下方向に凹円状になるように各ブロックを積み重ねる寺勾配積み工法を示す。この場合も直積みの場合と同角度に傾斜させた基礎１０上に各ブロック１，１ａ〜１ｅを直積みの場合と同じ基本姿勢でそれぞれの前面板が順次寺勾配になるように積み重ねる。この場合においても直積みの場合と同様に地山側からの圧力に強い抵抗力を有する擁壁が構築できる。また、景観的にみて城壁のように軟らかい感じを与える。
【００３４】
［植生積み］
図２１に各段の先端上部を上方へ開放し、この部分にて植生可能にした植生積み工法を示す。この場合上面を水平にした基礎１０ａ上に、斜積みと同様に上下に反転したブロック１，１ａ〜１ｅをそれぞれの前面板を結ぶ線が後側へ傾斜するように積み重ねる。
【００３５】
これにより、水平状態の控えに対して各ブロックの前面板は前傾した姿勢となり、各ブロックの先端上部が上方へ開放されるから、この部分に植栽土１４を充填して植生１５を植える。
【００３６】
この植生積みの場合における前面板は擁壁の傾斜とは逆になっていることから、各控えの後端を閉じる隔壁板は第２の隔壁板７ａを用いる。そしてこの植生積みの場合、上記植栽土１４が中込め材１１と混合しないようにするために、先端部近くにも隔壁板７ａを設置する。
【００３７】
【発明の効果】
本発明によれば、直積みの際に、控えを奥側が下方へ傾斜した状態で積むことができ、この直積み時において地山からの圧力に対する抵抗力が大きくなり、前方へ崩落しにくい直積みを行うことができる。
【００３８】
また、本発明によれば、構築用ブロックを上下反転することにより、前面板に対する控えの姿勢が上下方向に変えられ、１種類の構築用ブロックで、上記直積みのほかに、斜積み、寺勾配積み、植生積みによるそれぞれの擁壁をそれぞれ堅固に構築することができる。また斜積み時における基礎の傾斜が小さくできて、これの前端側の高さを低くすることができる。
【図面の簡単な説明】
【図１】基本型の構築用ブロックを示す斜視図である。
【図２】基本型の構築用ブロックを示す側面図である。
【図３】基本型の構築用ブロックを示す平面図である。
【図４】１／２高さ型の構築用ブロックを示す斜視図である。
【図５】１／２高さ型の構築用ブロックを示す側面図である。
【図６】（ａ）は左用の１／２幅型の構築用ブロックを示す斜視図である。
（２）は右用の１／２幅型の構築用ブロックを示す斜視図である。
【図７】図６のＡ矢視図である。
【図８】（ａ）は左用の１／２高さ・幅型の構築用ブロックを示す斜視図である。
（２）は右用の１／２高さ・幅型の構築用ブロックを示す斜視図である。
【図９】図８のＢ矢視図である。
【図１０】第１の隔壁板を示す斜視図である。
【図１１】第１の隔壁板を示す側面図である。
【図１２】第１の隔壁板を示す正面図である。
【図１３】第２の隔壁板を示す斜視図である。
【図１４】第２の隔壁板を示す側面図である。
【図１５】構築用ブロックと第１の隔壁板との組み立て状態を示す斜視図である。
【図１６】直積み工法による擁壁を示す断面図である。
【図１７】直積み工法による擁壁を示す斜視図である。
【図１８】控えの長さが異なる構築用ブロックを用いた直積み工法による擁壁を示す断面図である。
【図１９】斜積み工法による擁壁を示す断面図である。
【図２０】寺勾配積み工法による擁壁を示す断面図である。
【図２１】植生積み工法による擁壁を示す断面図である。
【符号の説明】
１，１ａ，１ｂ，１ｃ，１ｄ，１ｅ…構築用ブロック（ブロック）、２，２ａ，２ｂ，２ｃ，２ｄ，２ｅ…前面板、３，３ａ，３ｂ，３ｃ，３ｄ，３ｅ…控え、４…模様溝、５…凹部、６ａ，６ｂ…凹溝、７，７ａ…隔壁板、８…本体部、９ａ，９ｂ…耳部、１０，１０ａ…基板、１１…中込め材、１２…天板、１３…裏込め材、１４…植載土、１５…植生。
【図１】
0003610488.tif 000002
【図２】
0003610488.tif 000003
【図３】
0003610488.tif 000004
【図４】
0003610488.tif 000005
【図５】
0003610488.tif 000006
【図６】
0003610488.tif 000007
【図７】
0003610488.tif 000008
【図８】
0003610488.tif 000009
【図９】
0003610488.tif 000010
【図１０】
0003610488.tif 000011
【図１１】
0003610488.tif 000012
【図１２】
0003610488.tif 000013
【図１３】
0003610488.tif 000014
【図１４】
0003610488.tif 000015
【図１５】
0003610488.tif 000016
【図１６】
0003610488.tif 000017
【図１７】
0003610488.tif 000018
【図１８】
0003610488.tif 000019
【図１９】
0003610488.tif 000020
【図２０】
0003610488.tif 000021
【図２１】
0003610488.tif 000022